(57)【要約】【課題】  画像形成装置に用いられる定着装置において、クリーンローラの負荷変動を良好に吸収でき、静粛性の高い構成を提供する。【解決手段】定着装置５１は、用紙にトナーを定着させるためのヒートローラ５２と、前記ヒートローラ５２に付着したトナーを除去するためのクリーンローラ６０と、前記ヒートローラ５２に前記クリーンローラ６０を圧接させるためのクリーンローラ付勢バネ６１と、前記クリーンローラ６０と一体的に回転する芯体６０ａに接触するように配置される摩擦部材としての板バネ６２と、を備える。前記板バネ６２は湾曲形状であり、その腹部が前記芯体６０ａに接触している。また前記板バネ６２の一端は前記ハウジング５５のボス部６３に固定して取り付けられ、他端は前記ハウジング５５の係止部６４に係脱可能に取り付けられている。【選択図】図４
2008281651.tif 000002
【特許請求の範囲】
【請求項１】
記録媒体にトナーを定着させるためのヒートローラと、
前記ヒートローラに付着したトナーを除去するためのクリーンローラと、
前記ヒートローラに前記クリーンローラを圧接させるための付勢バネと、
前記クリーンローラと一体的に回転する軸部分に接触するように配置される摩擦部材と、
を備えることを特徴とする定着装置。
【請求項２】
請求項１に記載の定着装置であって、
前記摩擦部材がバネであることを特徴とする定着装置。
【請求項３】
請求項２に記載の定着装置であって、
前記バネは板バネであることを特徴とする定着装置。
【請求項４】
請求項３に記載の定着装置であって、
前記板バネは湾曲形状であり、その腹部が前記軸部分に接触していることを特徴とする定着装置。
【請求項５】
請求項４に記載の定着装置であって、
ハウジングを備え、
前記板バネの一端が前記ハウジングに固定して取り付けられ、他端が前記ハウジングに係脱可能に取り付けられることを特徴とする定着装置。
【請求項６】
請求項１に記載の定着装置であって、
前記摩擦部材が弾性変形可能なブロック体であることを特徴とする定着装置。
【請求項７】
請求項１から６までの何れか一項に記載の定着装置を備える画像形成装置。
【発明の詳細な説明】
【技術分野】
【０００１】
本発明は、画像形成装置において、定着装置が備えるヒートローラのクリーニングのための構成に関する。
【背景技術】
【０００２】
画像形成装置の定着装置において、記録媒体に画像を定着する際にヒートローラにトナーが付着することがある。これを放置しておくと定着に影響して形成画像の画質が低下する場合があるため、ヒートローラに付着したトナーを除去するためのクリーニング部材を定着装置に備える構成が知られている。
【０００３】
特許文献１は、芯体の外周に切り取り可能なウェブを巻き回し、このウェブを、画像形成媒体にトナーを定着させる定着器のヒートローラに接触させる構成の定着器のクリーニング装置を開示する。特許文献１はこの構成によって、クリーニングの際に付いた付着物を、ウェブを適宜切り取ることにより取り除き、付着物のない部分をヒートローラに再び接触させてクリーニングすることができ、クリーニング性能を一定に維持できるとする。
【特許文献１】特開平８−３２８４２０号公報
【発明の開示】
【発明が解決しようとする課題】
【０００４】
しかし、特許文献１は、ウェブの端部に相当する部分にクリーンローラの段差が生じ、この段差によってクリーンローラの回転が不均一になることがあった。また、クリーンローラはヒートローラに対し常時押圧されているために変形し易く、そのために負荷変動が起こってクリーンローラの回転が不均一になることがあった。
【０００５】
このような回転の不均一は、駆動部のギアの部分での歯当たりによる異音を誘発し、静粛性を損なう原因となることがある。この歯打ち音の対策としては、駆動部でギアのバックラッシュを調整する方法や、清掃効果を高めるために遅くしているクリーンローラの周速をヒートローラの周速と等しくする方法などが考えられる。しかしながら、前者の方法は、定着装置の近傍（高温環境下）にあるギアが膨張する可能性を考慮すればバックラッシュをあまり小さくすることもできず、効果が限られてしまう。また、後者の方法は、クリーンローラの清掃効果が薄れてしまうおそれがある。
【課題を解決するための手段及び効果】
【０００６】
本発明の解決しようとする課題は以上の如くであり、次にこの課題を解決するための手段とその効果を説明する。
【０００７】
本発明の第１の観点によれば、記録媒体にトナーを定着させるためのヒートローラと、前記ヒートローラに付着したトナーを除去するためのクリーンローラと、前記ヒートローラに前記クリーンローラを圧接させるための付勢バネと、前記クリーンローラと一体的に回転する軸部分に接触するように配置される摩擦部材と、を備える定着装置が提供される。
【０００８】
この構成により、クリーンローラの軸部分に摩擦部材が接触しながら回転するため、クリーンローラに一定の負荷を与えることができる。このように予め負荷を与えておくことにより、クリーンローラに生じる負荷の変動を相対的に小さくすることができる。これによって、駆動部でのギアの異音の発生を防ぐことができ、静粛性を向上させることができる。
【０００９】
前記定着装置においては、前記摩擦部材がバネであることが好ましい。
【００１０】
この構成により、摩擦部材自体が有するバネ力により、摩擦力による負荷をクリーンローラの軸部分に対して与えることができる。これによって、クリーンローラの負荷変動を吸収する簡素な構成を実現できる。
【００１１】
前記定着装置においては、前記バネは板バネであることが好ましい。
【００１２】
この構成により、摩擦部材を一層簡素化できる。また、クリーンローラの軸部分に摩擦部材（板バネ）を広面積で面接触させることができるため、その接触部分で安定した摩擦力を発生させて、クリーンローラに対し安定的な負荷を与えることができる。
【００１３】
前記定着装置においては、前記板バネは湾曲形状であり、その腹部が前記軸部分に接触していることが好ましい。
【００１４】
この構成により、板バネとクリーンローラの軸部分との接触部においてクリーンローラの回転に対する引っ掛かりが生じにくくなるので、クリーンローラに対し一層安定した負荷を与えることができる。
【００１５】
前記定着装置においては、ハウジングを備えるとともに、前記板バネの一端は前記ハウジングに固定して取り付けられ、他端は前記ハウジングに係脱可能に取り付けられることが好ましい。
【００１６】
この構成により、通常時はクリーンローラに安定して負荷を与えることができる。一方で、定着装置にメンテナンスの必要が生じた場合等には、板バネの一端の係止状態を解除することにより、定着装置のメンテナンスも容易となる。
【００１７】
前記定着装置においては、前記摩擦部材が弾性変形可能なブロック体であることが好ましい。
【００１８】
この構成により、摩擦部材自体が弾性を備えていることから、クリーンローラの軸部分に対し広い面で接触することができ、クリーンローラに対する負荷を安定して効率よく付与することができる。
【００１９】
本発明の第２の観点によれば、前記定着装置を備えた画像形成装置が提供される。
【発明を実施するための最良の形態】
【００２０】
次に、本発明の好適な実施形態について図面を参照しながら説明する。図１は本発明の一実施形態に係るコピーファクシミリ複合機の外観斜視図、図２は複合機の本体内部の様子を示す正面断面図である。
【００２１】
図１の外観斜視図に示すように、画像形成装置としてのコピーファクシミリ複合機７５は、フラットベッドスキャナ及びオートドキュメントフィードスキャナとして機能する画像読取部７６と、コピー部数やファクシミリ送信先等を指示するための操作パネル７７と、記録媒体としての用紙に画像を形成する画像形成部等を内蔵した本体７８と、前記用紙を順次供給する給紙カセット７９と、を備えている。この本体７８は、通信回線を介して画像データを伝送するための図略の送受信部等を備える。
【００２２】
コピーファクシミリ複合機７５の内部の様子が図２に示される。この図２に示すように、本体７８の上面には、読み取るべき原稿を載置するプラテンガラス８２が設けられる。本体７８の上方には原稿台カバー８３が設けられており、この原稿台カバー８３によって、原稿をプラテンガラス８２上に押圧して固定できるようになっている。
【００２３】
前記原稿台カバー８３には自動原稿供給装置（オートドキュメントフィーダ、ＡＤＦ）８４が配設されている。このＡＤＦ８４は、原稿台カバー８３の上部に設けられた原稿トレイ８５と、この原稿トレイ８５の下方に設けられた排出トレイ８６と、を備える。
【００２４】
図２に示すように、前記原稿台カバー８３の内部には、原稿トレイ８５と排出トレイ８６とを繋ぐ湾曲状の原稿搬送経路８７が構成されている。この原稿搬送経路８７には、分離ローラ８８及び複数の搬送ローラ８９が配置されている。この構成で、原稿トレイ８５に重ねてセットされた原稿は、１枚ずつ分離されて湾曲状の前記原稿搬送経路８７に沿って搬送され、原稿読取位置を通過した後、排出トレイ８６へ排出される。
【００２５】
図２に示すように、本体７８の上部にはスキャナユニット９０が備えられる。このスキャナユニット９０は、前記プラテンガラス８２又は前記ＡＤＦ８４の原稿読取位置に対して光を照射する光源９１と、原稿からの反射光を反射させる反射ミラー９２，９３，９４と、反射光を収束させる集光レンズ９５と、この収束光を電気信号に変換して出力する電荷結合素子（ＣＣＤ）９６と、を備えている。
【００２６】
スキャナユニット９０の光源９１及び反射ミラー９２等は適宜移動可能に構成しており、プラテンガラス８２に載置された原稿を移動しつつ走査したり、あるいはＡＤＦ８４の前記原稿読取位置まで移動させて、原稿搬送経路８７を搬送される原稿を走査したりすることができる。
【００２７】
この原稿からの反射光はＣＣＤ９６へ導かれて結像し、ＣＣＤ９６は原稿に応じた電気信号を出力する。この信号は適宜の変換処理後に後述の画像形成部１１に送られて印刷されたり、前記送受信部によって他のファクシミリ装置へ通信回線を介して送信されたりする。
【００２８】
図２に示すように、本体７８の下部には、用紙１００を供給する給紙カセット７９が備えられる。この給紙カセット７９は装置正面側（図２の紙面手前側）に引出可能に構成されている。給紙カセット７９の上方には、画像形成部１１、定着装置５１、及び排紙トレイ８０が備えられている。
【００２９】
本体７８の内部には、給紙カセット７９から排紙トレイ８０へ用紙１００を搬送するための搬送路２４が形成されている。この搬送路２４は、給紙カセット７９の一端側から上方に向かって延びた後、水平方向に湾曲して画像形成部１１に至り、更に水平方向へ延びて定着装置５１を通過した後、排紙トレイ８０上に至るように構成されている。
【００３０】
給紙カセット７９の上方には給紙ローラ２１が配置されており、給紙カセット７９内に積層された最上層の用紙１００に前記給紙ローラ２１が接触するように構成されている。この状態で給紙ローラ２１が駆動されることで、最上層の用紙１００が分離されてピックアップされ、前記搬送路２４に向けて送り出される。
【００３１】
搬送路２４において前記給紙ローラ２１のすぐ下流側には、搬送ローラ２２，２３が配置されている。この搬送ローラ２２，２３は、それに対向配置されるローラとの間に用紙１００をニップしつつ駆動されることで、用紙１００を下流側の画像形成部１１へ搬送する。
【００３２】
画像形成部１１は、図２に示すように、感光ドラム１２の周囲に、帯電器１３と、ＬＥＤヘッド１４と、現像器１５と、転写ローラ１６と、を配置した構成になっている。
【００３３】
感光ドラム１２は、表面に有機感光体による光導電膜が形成されるとともに、図示しない電動モータによって回転駆動されるように構成されている。帯電器１３はブラシ帯電方式に構成され、この帯電器１３によって感光ドラム１２の表面が均一に、例えば負に帯電されるようになっている。
【００３４】
露光器としてのＬＥＤヘッド１４は、前記帯電器１３より下流側（感光ドラム１２の回転方向の下流側をいう。以下、現像器１５、及び転写ローラ１６の説明において同じ。）に配置されており、発光ダイオード（ＬＥＤ）を用紙幅方向に多数並べて備えた構成となっている。そしてＬＥＤヘッド１４は、電話回線を介して受信したファクシミリ原稿の画像データや、画像読取部７６で読み取った画像データに対応して選択的に発光する。この結果、感光ドラム１２の表面が選択的に露光され、露光部分の電荷エネルギーが消失することで静電潜像が形成される。
【００３５】
現像器１５は前記ＬＥＤヘッド１４の下流側に配置されている。この現像器１５は、非磁性一成分トナーを収容するトナー容器２６を備えるとともに、トナーの撹拌のためにトナー容器２６の内部で回転駆動される撹拌ブレード２７を備えている。更に、現像器１５は、トナー容器２６の内部に配置される供給ローラ２８と、この供給ローラ２８に接触して配置される現像ローラ２９と、この現像ローラ２９の外周面に接触するように配置される規制ブレード３０と、を備えている。
【００３６】
この構成で、供給ローラ２８と現像ローラ２９とは、互いに周面を逆方向に擦るように回転駆動される。また、規制ブレード３０の先端は、回転駆動される現像ローラ２９の周面を擦ることになる。この結果、トナー容器２６内のトナーは摩擦帯電され、現像ローラ２９の表面に電位差によって付着する。現像ローラ２９の表面のトナーは、規制ブレード３０によって付着厚さが均一になるよう調整されるとともに、当該現像ローラ２９の回転によって感光ドラム１２側へ送られる。その後、感光ドラム１２と現像ローラ２９との近接部分において、感光ドラム１２の前記ＬＥＤヘッド１４による露光部に相当する部分においてのみ、現像ローラ２９の表面のトナーが選択的に感光ドラム１２の表面へ移動する。この結果、感光ドラム１２の表面上にトナー像が形成される。
【００３７】
転写ローラ１６は、前記現像器１５の下流側に配置されるとともに、感光ドラム１２から搬送路２４を挟んで反対側に配置されている。また、この転写ローラ１６には電源からの所定の電圧が印加されている。従って、感光ドラム１２の表面に形成されたトナー像は、感光ドラム１２の回転によって転写ローラ１６側へ近づくように移動し、その電界吸引力によって用紙１００に転写される。トナー像が転写された用紙１００は、感光ドラム１２の回転によって、搬送路２４の下流側の定着装置５１へ送られる。そして、定着装置５１が備えるヒートローラ５２とプレスローラ５３の押圧によって、トナーが用紙１００に定着する。なお、定着装置５１の詳細な構成については後述する。
【００３８】
図２に示すように、定着装置５１より下流側には排紙ローラ２５が設けられる。この構成で、定着装置５１でトナーが定着した用紙１００は、排紙ローラ２５とそれに対向配置される従動ローラとの間でニップされて、前記排紙トレイ８０上に排出される。
【００３９】
次に、前記定着装置５１の詳細な構成を説明する。図３は定着装置５１の平面図、図４は定着装置５１の拡大断面図である。
【００４０】
図３及び図４に示すように、定着装置５１はハウジング５５を備え、このハウジング５５に、ヒートローラ５２、プレスローラ５３及びクリーンローラ６０がそれぞれ回転自在に支持される。前記プレスローラ５３には図略の付勢バネが取り付けられて、そのバネ力によってプレスローラ５３がヒートローラ５２に対して押し付けられ、両者が弾接する構成になっている。
【００４１】
ヒートローラ５２は図略の駆動モータに連結されている。そして、この駆動モータによりヒートローラ５２が駆動されると、それに弾接しているプレスローラ５３は従動回転する。また、ヒートローラ５２はその内部に加熱装置としてのハロゲンランプを有しており、このハロゲンランプによってヒートローラ５２の表面が定着温度まで加熱される。この構成で、用紙１００がヒートローラ５２とプレスローラ５３との間を通過すると、高温のヒートローラ５２の熱及びプレスローラ５３による圧力によって、トナー像のトナーが融解して用紙１００に定着する。
【００４２】
次にクリーンローラ６０について説明する。クリーンローラ６０は例えば、シリコンオイルを含んだアラミド繊維の不織布が芯体６０ａに巻きつけられて固着される構成となっている。前記芯体（即ち、クリーンローラ６０の軸部分）６０ａの両端は突出され、この突出部が軸受６０ｂによって軸支されている。この軸受６０ｂにはクリーンローラ付勢バネ６１が取り付けられており、このクリーンローラ付勢バネ６１によってクリーンローラ６０がヒートローラ５２に押し付けられている。
【００４３】
クリーンローラ６０の芯体６０ａは、ヒートローラ５２を駆動する前記駆動モータに対し、図略の減速ギアを介して連結されている。そのため、ヒートローラ５２の駆動と同時に、ヒートローラ５２の回転速度より遅い回転速度でクリーンローラ６０が回転する。この回転速度の違いによって、ヒートローラ５２とクリーンローラ６０の接触部分で摩擦を生じさせ、ヒートローラ５２に付着したトナーを効果的に清掃することができる。
【００４４】
図３に示すように、クリーンローラ６０の両端には、板バネ（摩擦部材、バネ）６２がそれぞれ取り付けられる。図４に示すように、板バネ６２は湾曲形状に形成され、その凸状となった長手方向中途部（腹部）が前記クリーンローラ６０の芯体６０ａに接触するように配置される。
【００４５】
図４に示すように、板バネ６２の一端は、ハウジング５５に形成したボス部６３に固定して取り付けられる。一方、板バネ６２の他端は、ハウジング５５に形成した係止部６４に先端を係脱可能に嵌め込む構成となっている。
【００４６】
板バネ６２は適宜弾性変形された状態で取り付けられ、その長手方向中途部が前記芯体６０ａを押圧するように配置されている。従って、図略の駆動モータによってクリーンローラ６０が駆動されると、クリーンローラ６０と一体的に回転する芯体６０ａに対し、板バネ６２が摩擦抵抗を付与する。従って、クリーンローラ６０は、板バネ６２による負荷（制動）を受けながら回転することになる。
【００４７】
クリーンローラ６０は上述したように、不織布が芯体６０ａに巻きつけられた構成となっている。従って、不織布の継ぎ目部分に相当する位置において、外周面に若干の段差が形成されている場合がある。また、クリーンローラ６０が長時間静止しているときは、同じ部分がヒートローラ５２に長時間押圧されるため、クリーンローラ６０の外周面が局所的に若干平らになるように変形する場合がある。これらの原因により、クリーンローラ６０を回転させるときに負荷変動が生じ、これが、クリーンローラ６０の駆動伝達経路に配置される駆動ギアの歯打ち音の原因になることがある。
【００４８】
この点、本実施形態では、クリーンローラ６０と一体的に回転する芯体６０ａに対し、板バネ６２が常に摩擦による負荷を付与している。この負荷の大きさは常にほぼ一定であるので、上記のクリーンローラ６０の段差や変形による負荷変動が生じても、全体としては大きな負荷変動にならない。従って、前記駆動ギアの歯打ち音が抑制され、静粛性に優れたコピーファクシミリ複合機７５を提供することができる。
【００４９】
以上に示すように、本実施形態のコピーファクシミリ複合機７５が備える定着装置５１は、用紙１００にトナーを定着させるためのヒートローラ５２と、前記ヒートローラ５２に付着したトナーを除去するためのクリーンローラ６０と、前記ヒートローラ５２に前記クリーンローラ６０を圧接させるためのクリーンローラ付勢バネ６１と、前記クリーンローラ６０と一体的に回転する芯体６０ａに接触するように配置される摩擦部材としての板バネ６２と、を備えるように構成されている。
【００５０】
この構成により、クリーンローラ６０の芯体６０ａに板バネ６２が接触しながら回転するため、クリーンローラ６０に一定の負荷を与えることができる。このように予め負荷を与えておくことにより、クリーンローラ６０の不織布の巻き合わせ部に生じる段差や、クリーンローラ６０のヒートローラ５２への押圧によるクリーンローラ６０の変形等によって、クリーンローラ６０に生じる負荷の変動を相対的に小さくすることができる。これによって、駆動部でのギアの異音の発生を防ぎ、静粛性の高い構成を提供することができる。
【００５１】
また本実施形態においては、摩擦部材としてバネ（板バネ６２）が使用されている。
【００５２】
この構成により、摩擦部材自体が有するバネ力により、摩擦力による負荷をクリーンローラ６０の芯体６０ａに対して与えることができる。これによって、クリーンローラ６０の負荷変動を吸収する簡素な構成を実現できる。
【００５３】
また、前記バネは板バネ６２として構成されている。
【００５４】
この構成により、摩擦部材を一層簡素化できる。また、クリーンローラ６０の芯体６０ａに対して板バネ６２を広い面積で面接触させることができるため、その接触部分で安定した摩擦力を発生させて、クリーンローラ６０に対し安定的な負荷を与えることができる。
【００５５】
また本実施形態においては、前記板バネ６２は湾曲形状であり、その腹部が前記芯体６０ａに接触するように構成されている。
【００５６】
この構成により、板バネ６２と芯体６０ａとの接触部においてクリーンローラ６０の回転に対する引っ掛かりが生じにくくなるので、クリーンローラ６０に対し一層安定した負荷を与えることができる。
【００５７】
また本実施形態においては、定着装置５１はハウジング５５を備え、前記板バネ６２の一端はハウジング５５のボス部６３に固定して取り付けられ、他端はハウジング５５の係止部６４に係脱可能に取り付けられている。
【００５８】
この構成により、通常時はクリーンローラ６０に対し安定して負荷を与えることができる。一方で、定着装置５１に何らかの異常が起こった場合等には、板バネ６２の一端の係止状態を解除することで、定着装置５１のメンテナンスを容易に行うことができる。
【００５９】
なお、クリーンローラ６０に負荷を与えるには、図５のように構成することもできる。以下、この変形例を図５を用いて説明する。なお、図５の構成において、前述の実施形態と同一又は類似する構成には同一の符号を付し、その説明を省略する。
【００６０】
図５は変形例の定着装置５１の拡大断面図である。この変形例では、前述の実施形態で用いられていた板バネ６２に代えて、弾性変形可能なブロック体６５が備えられている。このブロック体６５は適宜の弾性を有する合成樹脂等を素材としており、直方体のスポンジ状に構成されている。
【００６１】
このブロック体６５はハウジング５５に固定されるとともに、若干凹状に弾性変形した状態で前記クリーンローラ６０の芯体６０ａと接触し、この芯体６０ａを押圧している。
【００６２】
この構成で、クリーンローラ６０が回転すると、クリーンローラ６０の芯体６０ａとの間に摩擦が生じ、前述の実施形態と同様にクリーンローラ６０の負荷変動を抑制することができる。
【００６３】
以上に示すように、この図５に示す変形例の定着装置５１では、摩擦部材として、弾性変形可能なブロック体６５が使用されている。
【００６４】
この構成により、摩擦部材としてのブロック体６５自体が弾性を備えていることから、芯体６０ａに対し広い面で接触することができ、クリーンローラ６０に対する負荷を安定して効率良く付与することができる。
【００６５】
以上に本発明の好適な実施形態及び変形例を説明したが、上記の構成は更に以下のように変更することができる。
【００６６】
図４に示す実施形態では、板バネ６２の一端を係脱可能として他端を固定しているが、板バネ６２の両端を固定したり、両端を係脱可能としたりすることもできる。
【００６７】
図４の実施形態の湾曲形状の板バネ６２に代えて、例えば直線形状の板バネや、コイルバネ等を用いる構成とすることもできる。
【００６８】
上記の実施形態や変形例では、図４等に示すように、クリーンローラ付勢バネ６１がヒートローラ５２にクリーンローラ６０を押し付ける方向と同方向に芯体６０ａを押圧するように板バネ６２等の摩擦部材を配置している。しかしながらこれに限定せず、摩擦部材の芯体６０ａに対する押圧の向きや設置位置は適宜変更することができる。また、板バネ６２やブロック体６５をクリーンローラ６０の両端に配置せずに一端のみに配置したり、また摩擦部材を１箇所に複数配置したりする等、事情に応じて摩擦部材の配置数や配置場所を変更することができる。
【００６９】
また、バネ（板バネ６２）やブロック体６５等の摩擦部材をクリーンローラ６０の芯体６０ａの軸端に配置し、スラスト方向から押圧するように構成することで、クリーンローラ６０に生じる負荷変動を抑える構成とすることもできる。
【００７０】
また上記実施形態では、クリーンローラ６０の回転速度がヒートローラ５２の回転速度より遅く構成されているが、クリーンローラ６０の回転速度がヒートローラ５２の回転速度より高速である構成とすることもできる。この場合でも回転速度が違うことにより、清掃効果を高めることができる。
【００７１】
前記コピーファクシミリ複合機に代えて、例えばプリンタ、コピー機、ファクシミリ装置等にも、本発明の構成を適用することができる。
【図面の簡単な説明】
【００７２】
【図１】本発明の一実施形態に係るコピーファクシミリ複合機の外観斜視図。
【図２】複合機の本体内部の様子を示す正面断面図。
【図３】本実施形態の定着装置の平面図。
【図４】本実施形態の定着装置の拡大断面図。
【図５】弾性変形可能なブロック体を摩擦部材として備えた変形例の定着装置の拡大断面図。
【符号の説明】
【００７３】
２４  搬送路
５１  定着装置
５２  ヒートローラ
５３  プレスローラ
５５  ハウジング
６０  クリーンローラ
６０ａ  芯体（軸部分）
６１  クリーンローラ付勢バネ
６２  板バネ（摩擦部材）
６３  ボス部
６４  係止部
６５  ブロック体（摩擦部材）
【図１】
2008281651.tif 000003
【図２】
2008281651.tif 000004
【図３】
2008281651.tif 000005
【図４】
2008281651.tif 000006
【図５】
2008281651.tif 000007